(57)【要約】【課題】  球の打ち方に関して、正しいクラブの挙動とクラブヘッドの軌道とをモデル化して表示することができるばかりか、これをいつでも、どこでも学ぶことができる、ゴルフスイングの教示装置を得ることにある。【解決手段】  台板１０と、台板に固定されたゼネバ機構の原動車２２と、ピンに係合する案内溝２３ｃを備える回転可能な従動車２３と、原動車の中心と従動車の回転中心とを回転可能に原動車及び従動車を連結する操作板２４とを有し、従動車が、原動車の周りを公転すると共に、案内溝にピンを係合させて自転することで、操作板をゴルファーの腕とし、従動車上の指標をゴルフクラブとしてゴルフスイングの開始からインパクトまでの状態を表示させているゴルフスイングの教示装置。【選択図】図１
0003116522.tif 000002
【実用新案登録請求の範囲】
【請求項１】
台板と、台板に固定されたゼネバ機構の原動車と、ピンに係合する案内溝を備える回転可能な従動車と、原動車の中心と従動車の回転中心とを回転可能に原動車及び従動車を連結する操作板とを有し、従動車が、原動車の周りを公転すると共に、案内溝にピンを係合させて自転することで、操作板をゴルファーの腕とし、従動車上の指標をゴルフクラブとしてスイングの開始からインパクトまでの動きを表示させていることを特徴とするゴルフスイングの教示装置。
【請求項２】
前記台板が第二のピンを、前記従動車が第二のピンに係合する第二の案内溝を備え、これらの第二のピン及び第二の案内溝によって、スイングのフォロー状態を前記指標に表示させている請求項１に記載の教示装置。
【請求項３】
台板及びスイング機構部を有し、台板がピンを備え、スイング機構部が、前記ピンを中心とする円弧状の切り欠きを有する台板に固定されたゼネバ機構の原動車と、従動車の周縁に嵌る二つの円弧状の切り欠き及びピンに係合する案内溝を備える回転可能な従動車と、原動車及び従動車を回転可能に連結する操作板とを有し、原動車側回転中心をゴルファーの肩関節とし従動車側回転中心をグリップとするゴルファーの腕に関連する腕指標を操作板に、従動車側回転中心を基点とするゴルフクラブを示すクラブ指標を従動車に備え、原動車の周りを従動車に公転させることでバックスイングの動きを腕指標及びクラブ指標になさせていると共に、案内溝にピンを係合させて従動車に自転させることでインパクトスイングの動きを腕指標及びクラブ指標になさせていることを特徴とするゴルフスイングの教示装置。
【請求項４】
前記台板が首をゼネバ機構の原動車側回転中心に位置させたゴルファーの絵からなるゴルファー指標を、原動車、従動車及び操作板がゴルファー指標を外部から透視させる材料からなる請求項３に記載の教示装置。
【請求項５】
前記腕指標が、ゴルファー指標のゴルファーの肩幅を底辺とし、頂点をゼネバ機構の従動車側回転中心に位置させ、斜辺を前記ゴルファーの腕とする、操作板上に配置された三角状の形態を有する請求項４に記載の教示装置。
【請求項６】
前記従動車が外側に向かって伸びる突出を備え、前記クラブ指標が突出と従動車側回転中心との間に設けられている請求項３乃至請求項５の何れかの請求項に記載の教示装置。
【請求項７】
前記台板が、ゴルファー指標の周りに、ゴルフスイングのインパクトに関連するコメントを記載されている請求項６に記載の教示装置。
【請求項８】
前記台板が第二のピンを、従動車が第二のピンに係合する第二の案内溝を備え、これらの第二のピン及び第二の案内溝によって、ゴルフスイングのフォロー状態を前記腕指標及びクラブ指標に動きなさせている請求項３に記載の教示装置。
【請求項９】
前記台板がゴルフスイングのフォローに関連するコメントを記載されている請求項８に記載の教示装置。
【請求項１０】
前記台板がクレジットカードサイズに、スイング機構部が台板に合わせたサイズに形成されている請求項３乃至請求項７の何れかの請求項に記載の教示装置。
【請求項１１】
前記台板が、水平台又は傾斜台を有する卓上型に形成され、スイング軌道を側面から見ることができる請求項３乃至請求項７の何れかの請求項に記載の教示装置。
【請求項１２】
前記台板が壁掛け式の形態に形成され、スイング機構部が台板に合わせたサイズに形成されている請求項３乃至請求項７の何れかの請求項に記載の教示装置。
【請求項１３】
前記台板が時計の文字盤の大きさに、スイング機構部が台板に合わせたサイズに形成されている請求項３乃至請求項７の何れかの請求項に記載の教示装置。
【考案の詳細な説明】
【技術分野】
【０００１】
本考案は、ゴルフスイングの教示装置に係わり、更に詳しくは、ゴルフスイングをシミュレーションして、正しいクラブの挙動及びクラブヘッドの軌道を使用者に教えて、ゴルフスイングを上達させるための装置に関している。
【背景技術】
【０００２】
ゴルフのレッスン書は数多く出版されている。体及び腕の動き、クラブの動きなどを文字や言葉で表現することが困難なことから、そのほんどは絵や写真を用いて体の形（フォーム）で説明しているだけで、本当に重要な「球の打ち方」は説明していない。
【０００３】
又、ゴルフスイングの教示装置として、ゴルファーが中に入って、ゴルフスイングの身体動作を矯正する大きな機械装置（例えば特許文献１、特許文献２を参照）、ＴＶカメラを用いた、ゴルフスイング状態を表示し、且つ正しい姿勢を表示する装置（例えば特許文献３を参照）、身体の一部を拘束して正しいスイング姿勢を肉体に強制する矯正具（例えば特許文献４を参照）等の様々なものが提供されている。しかしながら、機械的又は電気的な装置は、かなり大型であり、且つ高価で、個人が手軽に購入し設置することができる範囲のものではなく、又、いずれのものもいつでも、どこでも、ゴルフスイングを学ぶというわけにはいかない。
【０００４】
なお、この種の装置として、二つの振り子を腕及びゴルフクラブとするゴルフスイングのシミュレータも提供されている（例えば特許文献５を参照）。
【特許文献１】特開２００５−２１８７８４号公報
【特許文献２】特開２００５−１４３５２９号公報
【特許文献３】特開２００４−２０８７８５号公報
【特許文献４】特開２００５−２２４６４２号公報
【特許文献５】特開２００２−３４６０１６号公報
【考案の開示】
【考案が解決しようとする課題】
【０００５】
本考案は、ゴルフボールの打ち方に関して、正しいゴルフクラブの挙動とクラブヘッドの軌道とをモデル化して表示することができるばかりか、これをいつでも、どこでも学ぶことができる、ゴルフスイングの教示装置を得ることを、その解決課題としている。
【課題を解決するための手段】
【０００６】
上記課題を解決するために、本考案は、台板と、台板に固定されたゼネバ機構の原動車と、ピンに係合する案内溝を備える回転可能な従動車と、原動車の中心と従動車の回転中心とを回転可能に原動車及び従動車を連結する操作板とを有し、従動車が、原動車の周りを公転すると共に、案内溝にピンを係合させて自転することで、操作板をゴルファーの腕とし、従動車上の指標をゴルフクラブとしてスイングの開始からインパクトまでの動きを表示させているゴルフスイングの教示装置を提供するものである。
【考案の効果】
【０００７】
本考案ゴルフスイングの教示装置は、台板と、台板に固定されたゼネバ機構の原動車と、ピンに係合する案内溝を備える回転可能な従動車と、原動車の中心と従動車の回転中心とを回転可能に原動車及び従動車を連結する操作板とを有し、従動車が、原動車の周りを公転すると共に、案内溝にピンを係合させて自転することで、操作板をゴルファーの腕とし、従動車上の指標をゴルフクラブとしてスイングの開始からインパクトまでの動きを表示させているため、装置を極めてコンパクトに構成することができて、球の打ち方に関して、正しいクラブの挙動とクラブヘッドの軌道とをモデル化して表示することができるばかりか、これをいつでも、どこでも学ぶことができる。
【考案を実施するための最良の形態】
【０００８】
以下、添付図を参照して、本考案ゴルフスイングの教示装置の実施の形態の一例を説明する。添付図にて、図１は本考案ゴルフスイングの教示装置の一実施例を示す正面図、図２は図１の２−２線に沿う断面図、図３は図１に示す教示装置の作動状態を示す説明図、図４は図３に対して次の作動状態を示す説明図、図５は図４に対して次の作動状態を示す説明図、図６は図５に対して次の作動状態を示す説明図、図７は本考案ゴルフスイングの教示装置の他の実施例を示す正面図、図８は図７に示すゴルフスイングの教示装置の作動状態を示す説明図、図６は図８に対して次の作動状態を示す説明図である。
【０００９】
本考案ゴルフスイングの教示装置は、図１及び図２に示すように、台板１０を備えている。台板１０は、例えばクレジットカードサイズのもので、合成樹脂の薄板からなっている。
【００１０】
スイング機構部２０がこの台板１０の上に配置されている。スイング機構部自体は、ゼネバ機構の原動車２２、従動車２３及び操作板２４からなるもので、下からこの順に積層されている。
【００１１】
原動車２２は、ゼネバ機構の原動車の構成を有するもので、下層部分の表面にピン２５を、上層部分の周縁にピン２５を中心とする半円状の切り欠き２２ａを備えている。
【００１２】
従動車２３は、外側に向かって伸びる突起２３ｄをもつ円盤状のもので、周面の一部には、原動車２２の半径に対応する半径をもつ半円状の一対の切り欠き２３ａ，２３ｂが設けられている。更に、切り欠き２３ａ，２３ｂの間に位置して、従動車２３の周面には、案内溝２３ｃが設けられている。案内溝２３ｃは、ピン２５を嵌合させる幅をもつ、直線溝からなっている。これらの切り欠き２３ａ，２３ｂ、案内溝２３ｃ及び突出２３ｄは、従動車２３の中心から伸びる放射線上に配置されている。
【００１３】
操作板２４は、回転する円板であり、その回転中心を軸部材２６によって原動車２２に回転可能に連結され、更に、軸部材２７によって従動車２３と回転可能に取付けられている。従動車２３は、操作板２４によって、切り欠き２３ｂを原動車２２の周面に圧接させられている。このため、従動車２３は、操作板２４が軸部材２６を中心にして回転したときに、切り欠き２３ｂを原動車２２の周面に接触させたまま、原動車２２の周面に沿って公転することができ、又、切り欠き２３ａを原動車２２の周面に接触させたまま原動車２２の周面に沿って公転することができる。
【００１４】
原動車２２の半円状の切り欠き２２ａの半径長は、ピン２５が案内溝２３ｃの閉塞端側に位置して、従動車２３に軸部材２７を中心とする回転を行なわせることができる逃げ寸法になっており、従動車２３の案内溝２３ｃがピン２５に係合し、操作板２４が軸部材２６を中心にして回転したときに、従動車２３に、軸部材２７を中心として自転をさせことができる。
【００１５】
又、台板１０には、表面に「トップからインパクトまで胸は右を向いている」というコメント１１、「パワーためたタテの動き」及び「クラブが垂直」というコメント１２、右ヒザのフットワークで軸回転」というコメント１３，ゴルファーの絵からなるゴルファー指標１４、インパクト範囲を表す曲線からなるインパクト指標１５を印刷されている。スイング機構部２０を構成している原動車２２、従動車２３及び操作板２４は、透明な合成樹脂からなっており、使用者がこれらのコメント１１〜１３，ゴルファー指標１４、インパクト指標１５を外側から透視することができるようにしている。
【００１６】
又、操作板２４にはゴルファー１４の腕を表す腕指標２８が印刷されている。腕指標２８は、三角状で、先端が従動車側回転中心２７に一致するように、対面する底辺の中心が原動車側回転中心２６に一致するように操作板上に配置されている。腕指標２８の底辺の長さは、ゴルファー指標１４の肩幅に略一致し、斜辺は、それぞれ右腕及び左腕を表している。チェッカー模様の領域はゴルファーの左腕側を、無地の領域は右腕側を示している。そして、従動車２３の突起２３ｄには、ゴルフクラブを示す太い直線からなるクラブ指標２９が突起２３ｄの自由端から従動車側回転中心２７に向かって印刷されている。
【００１７】
このゴルフスイングの教示装置によってゴルフスイングのシミュレーションを行なうには、図３に示すように、ゴルフクラブを示すクラブ指標２９が垂直状態にあるように、操作板２４を回転する。このときに、軸部材２６は両方の肩関節付近、軸部材２７はグリップ、腕指標２８は腕をそれぞれ表している。
【００１８】
ゴルフスイングの教習は、上述の初期状態において、操作板２４を半時計方向に回転することで開始される。操作板２４が回転すると、図４に示すように、ダウンスイングが始まり、更に操作板２４が回転すると、図５に示すように、従動車２３の切り欠き２３ｂが原動車２２の周面に接触したまま、原動車２２の周りを公転して、ゴルフクラブを示すクラブ指標２９がゴルファー１４の肩を中心にインパクト開始点まで回転する。操作板２４の回転をつづけると、従動車２３の案内溝２３ｃがピン２５に係合し、従動車２３が軸部材２７を中心にして自転して、図６に示すように、インパクト動作が行なわれる。
【００１９】
このように、本考案によるゴルフスイングの教示装置は、操作板２４を単に回転させるだけで、従動車２３が原動車２２の周りを公転して、インパクトポイントまでのゴルフクラブの動きをシミュレートした後、従動車２３が案内溝２３ｃ及びピン２５によって自転して、ゴルフクラブを示すクラブ指標２９及びゴルファーの腕を示す腕指標２８が軸回転スイングの動きを行なうため、実際に近い、正確なゴルフスイングのシミュレーションを行なうことができる。その結果、リストコックを保ち、肩間接間を底辺、グリップを頂点及び両腕を斜辺とする三角形を維持しながら、ゴルフクラブを垂直に立てた後、クラブヘッドを含む平面に沿ってダウンスイングするというバックスイングの基本を、腕指標２８及びクラブ指標２９の動きによって、この教示装置から学ぶことができる。加えて、ダウンスイングを開始するときに、「トップからインパクトまで胸は右を向いているか」というコメント１１、ダウンスイングを行なうときに「パワーをためたたての動き、クラブが垂直」というコメント１２、それに、インパクトスイングするときに「右ひざのフットワークで軸回転」というコメント１３を読むことで、スイング機構部２０の前記動きと相俟って、この教示装置の使用者にゴルフスイングの複雑な動作を確実に教え込むことができる。
【００２０】
更に、本考案によるゴルフスイングの教示装置は、クレジットカードサイズに構成することができるため、携帯が極めて簡易であり、いつでも、どこでも、ゴルフスイングの仕方を勉強することができ、ゴルフ練習場やゴルフコースでのゴルフスイングのチェックも行なうことができる。
【００２１】
そして、本考案によるゴルフスイングの教示装置は、構造が簡単であり、組立ても容易に行えるため、安価に製造することもできる。
【００２２】
以上はトップからインパクトまでのスイングを教示するものであるが、本考案ゴルフスイングの教示装置は、ゼネバ機構の原動車２２に第二のピンを、従動車２３に第二の案内溝を設けることによって、フォローまでの表示も行なうことができる。図７〜図９はそのようなゴルフスイング教示装置の一例を示している。
【００２３】
このゴルフスイングの教示装置も、図７に示すように、前記実施例の本考案教示装置と同じに、台板１０と、原動車２２、従動車２３、操作板２４及びピン２５等からなるスイング機構部２０を備えている。しかし、ゼネバ機構の原動車２２には第二のピン１２５が植えられ、従動車２３にはこのピン１２５に係合する案内溝１２３ｃが設けられ、「ここで腕が伸びる」というコメント１１６が台板１０に印刷されている。
【００２４】
このゴルフスイングの教示装置は、１〜図７に関連して説明した教示装置と同じに、操作板２４を回転させることにより、クラブ指標２９がインパクトまでのゴルフスイングの仕方を使用者に教示することができる。更に操作板を回転すると、図８に示すように、第二の案内溝１２３ｃが第二のピン１２５に係合し、従動車２３が軸部材２７を中心に回転して、図９に示すように、フォローの状態となる。このときに、腕指標２８がゴルファーの腕を、軸部材２７がグリップを表し、インパクトの後、どのような状態にゴルフクラブがあればよいのかを、操作板２４の回転のみでこの教示装置の使用者に学ばせることができる、つまり、インパクトスイング後のフォロースイングの状態を、コメント１１６と一緒に、使用者に理解させることができる。
【００２５】
なお、以上説明した実施例において、本考案ゴルフスイングの教示装置は、クレジットカード寸法に形成されているが、これのみに限定されない。例えば、はがきサイズ等のより大きな寸法に形成してもよく、大きな寸法に形成された本考案教示装置を直接に又は支持板を持つ水平台又は支持板を傾斜可能させる傾斜台に担持させた卓上型のものに構成して、教示装置の位置を固定して、使用者が姿勢を変えることで、又は、使用者が姿勢を固定し、教示装置を動かすことで、スイング軌道を側面から見ることができるようにしてもよい。更に、本考案ゴルフスイングの教示装置を大型の壁掛け式の形態に形成して、ゴルフスクールの教材としてもよく、又、時計の文字盤に組み込んで、時計に付加価値を高めるようにしてもよい。更に、スイング機構部２０は、原動車２２にピン２５を具備させ、組立て作業を容易にしているが、予め台板１０を準備し、スイング機構部２０を構成する要素を一つずつ台板１０に組み付け、原動車２２のピン２５又はピン２５，１２５を台板１０に直接固定するようにしてもよい。
【図面の簡単な説明】
【００２６】
【図１】本考案ゴルフスイングの教示装置の一実施例を示す正面図。
【図２】図１の２−２線に沿う断面図。
【図３】図１に示す教示装置の作動状態を示す説明図。
【図４】図３に対して次の作動状態を示す説明図。
【図５】図４に対して次の作動状態を示す説明図。
【図６】図５に対して次の作動状態を示す説明図。
【図７】本考案ゴルフスイングの教示装置の他の実施例を示す正面図。
【図８】図７に示すゴルフスイングの教示装置の作動状態を示す説明図。
【図９】図８に対して次の作動状態を示す説明図。
【符号の説明】
【００２７】
１０            台板
１１〜１３      コメント
１４            ゴルファー指標
１５            インパクト指標
２０            スイング機構部
２２            原動車
２２ａ          切り欠き
２３            従動車
２３ａ，２３ｂ  切り欠き
２３ｃ          案内溝
２３ｄ          突起
２４            操作板
２５            ピン
２６            軸部材（原動車側回転中心）
２７            軸部材（従動車側回転中心）
２８            腕指標
２９            クラブ指標
１１６            コメント
１２３ｃ          第二の案内溝
１２５            第二のピン
【図１】
0003116522.tif 000003
【図２】
0003116522.tif 000004
【図３】
0003116522.tif 000005
【図４】
0003116522.tif 000006
【図５】
0003116522.tif 000007
【図６】
0003116522.tif 000008
【図７】
0003116522.tif 000009
【図８】
0003116522.tif 000010
【図９】
0003116522.tif 000011